(57)【要約】【課題】煩雑な操作を必要とせず印刷内容が変更可能なタクシー用印刷装置と、このタクシー用印刷装置を用いたタクシー用印刷制御システムを提供することを目的とする。【解決手段】リムーバブルメディア７を収納可能な収納部８と、リムーバブルメディア７に記録されている印刷用更新データを読み取る読取手段１０と、読み取られた印刷用更新データに含まれる印刷フォーム情報と、タクシーメータ２から出力されたメータ情報とに基づいて、自動的に当該印刷フォーム情報に従った印刷データを作成する印刷データ作成手段１５と、前記印刷データに基づいて印刷をする印刷手段９とを印刷装置１に備える。【選択図】図１
2010146243.tif 000002
【特許請求の範囲】
【請求項１】
タクシーメータに接続されるタクシー用印刷装置であって、
リムーバブルメディアを収納可能な収納部と、
前記収納部に収納されたリムーバブルメディアに記録されている印刷用更新データを読み取る読取手段と、
前記読取手段によって読み取られた印刷用更新データに含まれる印刷フォーム情報と、タクシーメータから出力されたメータ情報とに基づいて、自動的に当該印刷フォーム情報に従った印刷データを作成する印刷データ作成手段と、
前記印刷データに基づいて印刷をする印刷手段とを備えたことを特徴とするタクシー用印刷装置。
【請求項２】
前記読取手段によって読み取られた印刷用更新データは、演算パラメータ情報を含み、
前記演算パラメータ情報に基づいて、前記メータ情報を演算するメータ情報演算手段を備え、
前記印刷データ作成手段は、前記メータ情報演算手段の演算結果を前記印刷フォームに従って印刷データを作成してなる請求項１記載のタクシー用印刷装置。
【請求項３】
前記メータ情報演算手段によって演算された演算結果と、前記メータ情報とのいずれか一方又は双方を、前記収納部に収納されたリムーバブルメディアに記録する記録手段を備えてなる請求項２記載のタクシー用印刷装置。
【請求項４】
前記印刷用更新データは、店舗情報、イベント情報等の複数のエリア情報を含み、
タクシーに備えられた位置情報取得手段から出力された現在位置情報と、前記読取手段によって読み取られた前記エリア情報とに基づいて、現在位置におけるエリア情報を選択するエリア情報選択手段を備え、
前記印刷データ作成手段は、前記選択されたエリア情報を含む印刷データを、前記印刷フォームに従って作成してなる請求項１から３のいずれかに記載のタクシー用印刷装置。
【請求項５】
請求項１から４のいずれかに記載のタクシー用印刷装置と、
前記印刷フォーム情報を含む前記印刷用更新データを作成する印刷用更新データ作成手段と、前記印刷用更新データ作成手段によって作成された印刷用更新データを前記リムーバブルメディアに記録する第２の記録手段とを備えたコンピュータとからなることを特徴とするタクシー用印刷制御システム。
【請求項６】
請求項３記載のタクシー用印刷装置と、
前記印刷フォーム情報を含む前記印刷用更新データを作成する印刷用更新データ作成手段と、前記印刷用更新データ作成手段によって作成された印刷用更新データを前記リムーバブルメディアに記録する第２の記録手段と、前記タクシー用印刷装置の記録手段によって記録された前記演算結果と前記メータ情報のいずれか一方又は双方の情報を、前記リムーバブルメディアから読み取る第２の読取手段と、前記第２の読取手段によって読み取られた情報を予め設定されたパラメータに基づいて演算する演算手段とを備えたコンピュータとからなることを特徴とするタクシー用印刷制御システム。
【発明の詳細な説明】
【技術分野】
【０００１】
本発明は、タクシーに搭載され、領収書等を印刷するタクシー用印刷装置、及び当該タクシー用印刷装置を用いたタクシー用印刷制御システムに関するものである。
【背景技術】
【０００２】
現在、タクシーの乗客が領収書の発行を依頼した場合、乗務員はタクシーメータに接続された印刷装置を用いて領収書を印刷し、利用者に渡している。
印刷された領収書は、タクシーの利用料金等のようにタクシーメータから出力されたデータと、タクシー会社名や電話番号などの印刷装置に予め記録されているデータとが、予め決められた印刷フォームに従って印刷される。
【０００３】
そのため、タクシー会社の名称変更や、電話番号の変更、領収書のデザインの変更などを変更する場合には、印刷装置をメーカ等に預け、印刷装置内のＲＯＭの内容を書き換えていたり、メーカ等の作業者が一台ずつ印刷装置の設定情報の変更をしなければならなかった。
【０００４】
また、印刷装置に備えられているスイッチ群を操作して、会社名や電話番号を変更したり、利用料金、会社名、電話番号等の印刷行箇所を示すレイアウトデータを変更することが可能な車両用領収書発行器がある（例えば、特許文献１参照。）。
【特許文献１】特開平８−１８０２２０号公報
【発明の開示】
【発明が解決しようとする課題】
【０００５】
しかしながら、印刷装置をメーカ等に預ける場合には、現在使用している印刷装置を取り外し、設定が変更された後には再度タクシー用印刷装置に印刷装置を取り付けなければならなかった。さらに、この取り付け作業は、単にタクシーに印刷装置を固定するだけでなく、各種ケーブルも接続しなくてはならなかった。加えて、印刷装置をメーカ等に預けている時には、代替の印刷装置を搭載させなければならず、煩雑な作業が必要であった。
【０００６】
また、前記特許文献１記載の発明は、メーカに印刷装置を預けることなく、会社名や電話番号などの印刷内容を変更できるが、印刷装置に備えられているスイッチ群を操作して変更しなければならず、印刷装置毎に設定内容の変更作業をしなければならなかった。そのため、多くの作業時間が必要であった。さらに、スイッチ群の操作だけで設定作業をしなければならず、作業が繁雑なだけでなく設定ミスも起こしやすく作業効率が悪かった。
【０００７】
本発明は、係る問題に鑑み、煩雑な操作を必要とせず印刷内容が変更可能なタクシー用印刷装置を提供することを目的とする。
【課題を解決するための手段】
【０００８】
本発明に係るタクシー用印刷装置は、タクシーメータに接続されるタクシー用印刷装置であって、リムーバブルメディアを収納可能な収納部と、前記収納部に収納されたリムーバブルメディアに記録されている印刷用更新データを読み取る読取手段と、前記読取手段によって読み取られた印刷用更新データに含まれる印刷フォーム情報と、タクシーメータから出力されたメータ情報とに基づいて、自動的に当該印刷フォーム情報に従った印刷データを作成する印刷データ作成手段と、前記印刷データに基づいて印刷をする印刷手段とを備えたことを特徴とする。
したがって、リムーバブルメディアに記録されている印刷フォーム情報とタクシーメータから出力されたメータ情報とに基づいて、印刷フォームに従った印刷ができる。
【０００９】
前記読取手段によって読み取られた印刷用更新データは、演算パラメータ情報を含み、前記演算パラメータ情報に基づいて、前記メータ情報を演算するメータ情報演算手段を備え、前記印刷データ作成手段は、前記メータ情報演算手段の演算結果を前記印刷フォームに従って印刷データを作成してもよい。
【００１０】
また、前記メータ情報演算手段によって演算された演算結果と、前記メータ情報とのいずれか一方又は双方を、前記収納部に収納されたリムーバブルメディアに記録する記録手段を備えてもよい。
【００１１】
さらに、前記印刷用更新データは、店舗情報、イベント情報等の複数のエリア情報を含み、タクシーに備えられた位置情報取得手段から出力された現在位置情報と、前記読取手段によって読み取られた前記エリア情報とに基づいて、現在位置におけるエリア情報を選択するエリア情報選択手段を備え、前記印刷データ作成手段は、前記選択されたエリア情報を含む印刷データを、前記印刷フォームに従って作成してもよい。
【００１２】
また、本発明に係るタクシー用印刷制御システムは、前記タクシー用印刷装置と、前記印刷フォーム情報を含む前記印刷用更新データを作成する印刷用更新データ作成手段と、前記印刷用更新データ作成手段によって作成された印刷用更新データを前記リムーバブルメディアに記録する第２の記録手段とを備えたコンピュータとからなることを特徴とする。
したがって、印刷フォーム情報を含む印刷用更新データを、タクシー会社の営業所等に設置されコンピュータを操作して容易に作成し、リムーバブルメディアに記録させることができる。
【００１３】
さらに、本発明に係るタクシー用印刷制御システムは、前記タクシー用印刷装置と、前記印刷フォーム情報を含む前記印刷用更新データを作成する印刷用更新データ作成手段と、前記印刷用更新データ作成手段によって作成された印刷用更新データを前記リムーバブルメディアに記録する第２の記録手段と、前記タクシー用印刷装置の記録手段によって記録された前記演算結果と前記メータ情報のいずれか一方又は双方の情報を、前記リムーバブルメディアから読み取る第２の読取手段と、前記第２の読取手段によって読み取られた情報を予め設定されたパラメータに基づいて演算する演算手段とを備えたコンピュータとからなることを特徴とする。
したがって、リムーバブルメディアに記録されたタクシー用印刷装置にて演算された演算情報や、タクシーメータからのメータ情報等をコンピュータで読み取らせ、読み取った情報に基づいて演算することができる。
【発明の効果】
【００１４】
以上にしてなる本発明に係るタクシー用印刷装置は、リムーバブルメディアに記録されている印刷フォーム情報を読み取り、この印刷フォーム情報とタクシーメータから出力されたメータ情報とに基づいて、印刷データを作成して印刷するので、リムーバブルメディアに記録する印刷フォームを変更すると、変更した新しい印刷フォームに従って印刷できる。したがって、会社名や電話番号の情報を変更したり、印刷項目を変更したり、印刷文字の大きさを変更する場合でも、印刷装置を取り外してメーカに預ける必要もなくなる。さらに、印刷フォーム情報に画像データが含まれる場合には、当該画像も印刷できると共に、印刷する画像も容易に変更できる。
特に、印刷装置に備えられたスイッチ群を操作して１台ずつ設定内容を変更する必要性もないので、メーカに預ける必要性もなく、タクシーメータの取り外し作業や取り付け作業を必要としない。加えて、印刷用更新データを記録したリムーバブルメディアをタクシー用印刷装置に収納するだけで印刷フォーム等を変更できるので、煩雑な作業が不要になるだけでなく、設定ミスを少なくすることができる。
【００１５】
また、演算パラメータ情報が含まれた印刷用更新データをリムーバブルメディアに記録させ、リムーバブルメディアから演算パラメータ情報を読み取って、当該演算パラメータ情報に基づいて演算し、この演算結果を印刷するので、演算内容を容易に変更することが可能である。
【００１６】
さらに、タクシーメータから出力されたメータ情報や、演算結果を収納部に収納されたリムーバブルメディアに記録するので、乗務終了後は、このリムーバブルメディアを収納部から取り出し、営業所のコンピュータに記録したデータを読み取らせることもでき、乗務履歴の管理を容易にでき、乗務員は日報などの記入作業がなくなる又は作業を少なくできる。さらに、タクシー会社としても、乗務履歴を改めて入力する手間を省けることができ、事務手続きを簡素化できるだけでなく、入力ミスも少なくできる。
【００１７】
また、店舗情報やイベント情報等からなるエリア情報が含まれた印刷用更新データをリムーバブルメディアに記録させ、リムーバブルメディアからエリア情報を読み取り、現在位置におけるエリア情報を選択して印刷するので、乗務員が周辺の店舗やイベントの情報を知ることができる。さらに、用紙に印刷するので、この用紙を乗客に提供することもできる。
【００１８】
さらに、コンピュータを用いて作成した印刷用更新データをリムーバブルメディアに記録させ、タクシーに搭載された印刷装置はこのリムーバブルメディアに記憶されている印刷フォームデータに基づいて印刷するので、営業所等で各種の印刷フォームを容易に変更することができる。また、印刷用更新データに演算パラメータ情報が含まれる場合には、当該演算パラメータ情報に従った演算を印刷装置にさせることができ、かつ演算パラメータを容易に変更することができる。さらに、印刷用更新データにイベント情報が含まれる場合には、当該イベント情報を営業所等のコンピュータを用いてリムーバブルメディアに記録させることができる。
【００１９】
また、タクシーメータからのメータ情報や、演算結果の情報をリムーバブルメディアに記録させ、営業所等のコンピュータが当該リムーバブルメディアに記録された情報を読み取るので、これらの情報を入力する手間を省略でき、乗務実績等の管理作業を簡素化できる。
【発明を実施するための最良の形態】
【００２０】
本発明は、タクシーメータに接続されるタクシー用印刷装置に関するものである。
タクシー用印刷装置（以下、「印刷装置」と称す。）１は、タクシーメータ２と接続し、かつ、リムーバブルメディア７を収納する収納部８を備えている。
【００２１】
前記印刷装置１は、図１に示すように、入力手段５、処理部６、前記収納部８、印刷手段９とを備えている。
前記処理部６は、読取手段１０、記録手段１１、メモリ１２、メータ情報演算手段１３、エリア情報選択手段１４、印刷データ作成手段１５を備えている。
また、印刷装置１には、図３に示すように、前面に前記収納部８、乗務員等による印刷操作等を行うための操作ボタン１６、印刷装置１の状態や操作内容を表示する表示部１７、蓋部材４０、印刷用紙を収納する用紙収納部４１、印刷された用紙を排出する排紙部３９等が設けられている。前記蓋部材４０は、左右方向にスライド可能に構成され、蓋部材４０を開閉することにより、前記収納部８にリムーバブルメディア７を収納及び取り出し可能にしている。
操作ボタン１６は、第１ボタン１６ａと第２ボタン１６ｂとから構成される。第１ボタン１６ａは印刷の実行等を指示するボタンであり、第２ボタン１６ｂは後述する各種の印刷内容を指示するボタンである。
表示部１７は、第１表示部１７ａと第２表示部１７ｂとから構成される。第１表示部１７ａは、ＬＥＤ等から構成され、その点灯の有無、点滅、点灯色等によって印刷装置１の状態を表示する。第２表示部１７ｂは、液晶等から構成され、印刷内容を文字等で表示したり、エラーメッセージ等の各種情報をする。
なお、図３は印刷装置の一例を示したものであり、これに限定されるものではない。
【００２２】
前記入力手段５は、タクシーメータ２から送信されたメータ情報を入力する。また、タクシーにＥＴＣ３や、位置情報取得手段としてのＧＰＳ４等の外部機器が搭載されている場合には、これらの外部機器から出力されたＥＴＣデータやＧＰＳデータ等の各種データを入力する。そして、入力されたデータは、前記メモリ１２に一時的に記憶される。
印刷装置１と、タクシーメータ２、ＥＴＣ３、ＧＰＳ４等とが通信ケーブル等で直接接続するように構成してもよいが、中継装置等の他の機器を介してタクシーメータ２、ＥＴＣ３、ＧＰＳ４等からのデータを入力手段５に入力するように構成してもよい。
また、位置情報取得手段は、前記ＧＰＳ４に限定するものではなく、携帯電話の通信ネットワークシステム等の無線通信システムを用いた位置情報取得システムであってもよい。さらに、位置情報取得手段としてＧＰＳ４を用いる場合には、ＧＰＳ４から出力されるＧＰＳデータに含まれる時刻情報に基づいて、時刻修正を行ってもよい。
【００２３】
前記リムーバブルメディア７は、ＳＤメモリカード等の半導体記録媒体、フレキシブルディスクやハードディスク等の磁気記録媒体、ＣＤ等の記録媒体、ＩＣカード等の記録媒体のように、取り外し可能な外部記録媒体である。なお、リムーバブルメディア７は、上述の記録媒体に限定されるものでなく、他の記録媒体も本発明に含まれる。
このリムーバブルメディア７には、印刷用更新データが記録される。前記印刷用更新データは、後述する印刷フォーム情報、演算パラメータ情報、エリア情報などが含まれる。なお、リムーバブルメディア７に音声データ等の他の機器で使用するデータも記録させてもよい。
【００２４】
前記読取手段１０は、収納部８に収納されたリムーバブルメディア７に記録されている印刷用更新データ等の各種データを読み取る。そして、読み取ったデータはメモリ１２に一時的に記憶される。
乗務員は、乗務の開始時に、収納部８にリムーバブルメディア７を挿入する。リムーバブルメディア７が挿入されると、読取手段１０はリムーバブルメディア７に記録されている前記印刷用更新データを自動的に読み取って、メモリ１２に記憶させる。なお、印刷用更新データのすべてをメモリ１２に記憶することができない場合には、リムーバブルメディア７から必要な印刷用更新データを逐次読み取る。
【００２５】
前記記録手段１１は、前記メータ情報演算手段１３によって演算された演算結果データを、前記収納部８のリムーバブルメディア７に記録する。また、タクシーメータ２から送信されたメータ情報を含むデータ、ＥＴＣ３から出力されたＥＴＣデータ、ＧＰＳ４から出力されたＧＰＳデータ等の印刷装置１に入力されたデータをリムーバブルメディア７に記録する。記録手段１１は、メモリ１２に一時的に記録されたデータをリムーバブルメディア７に記録してもよいし、前記入力手段５によって入力されたデータを順次リムーバブルメディア７に記録してもよい。
【００２６】
前記メモリ１２は、前記入力手段５よって入力された各種データを一時的に記憶したり、前記読取手段１０によって読み取られた印刷用更新データ等の各種データを一時的に記憶する。より具体的には、ＲＡＭ等の半導体記録媒体によって構成されている。
【００２７】
前記印刷データ作成手段１５は、前記リムーバブルメディア７に記録されている印刷用更新データに含まれる印刷フォーム情報と、前記タクシーメータ２から送信されたメータ情報とに基づいて、当該印刷フォーム情報に従った印刷データを作成する。
さらに、前記メータ情報演算手段１３によって演算された演算結果や、前記エリア情報選択手段１４によって選択されたデータと、前記印刷フォーム情報とに基づいて、印刷データを作成する。
【００２８】
前記印刷フォーム情報は、タクシー会社の会社名、住所、電話番号、タクシーの車両番号等の文字情報、会社のロゴなどの画像データ、印刷に使用するフォントタイプ、文字サイズ、印刷位置、印刷項目等の情報である。
【００２９】
前記メータ情報演算手段１３は、前記印刷用更新データに含まれる演算パラメータ情報に基づいて、前記メータ情報やＥＴＣ情報等の情報を演算する。そして、演算された結果は、印刷データ作成手段１５や記録手段１１に送られる。
【００３０】
前記演算パラメータ情報は、走行履歴演算式、料金演算式、勤務時間演算式等の演算式の情報である。
前記走行履歴演算式は、タクシー乗務員の１回の勤務時間内の全走行距離の集計、実車状態における走行距離や走行時間の集計、空車状態における走行距離や走行時間の集計、深夜時間における走行距離や走行時間の集計、障害者割引等の割引状態における走行距離や走行時間の集計、実車率の演算等に使用される演算式等の演算式の情報である。なお、デジタルタコグラフからの信号を入力する場合には、急加速回数や急停車回数等の回数を算出するための演算式等の情報を含んでもよい。
前記料金演算式は、タクシーメータ２から送信された乗車料金の集計、ＥＴＣ３から出力された通行料集計、現金精算の集計、クレジットカード精算の集計、デビットカード精算の集計、障害者割引等の割引料の集計、深夜割増等の割増料の集計などに使用される演算式の情報である。
【００３１】
前記エリア情報選択手段１４は、前記印刷用更新データに含まれているエリア情報の中から、現在位置におけるエリア情報を選択する。前記エリア情報とは、店舗情報やイベント情報などの情報である。
前記店舗情報は、店舗の位置、店舗の種類、クーポン券等の割引情報等の情報である。また、イベント情報は、コンサート、祭などの祭事、結婚式、国際会議などの集会、スポーツなどの競技会等の位置及び日時の情報である。
前記エリア情報選択手段１４は、ＧＰＳ４から出力された現在の位置情報に基づいて、この現在位置が含まれるエリアに該当するイベント情報を選択したり、現在位置を中心とした所定の範囲に位置するエリア情報を選択する。そして、選択された情報は印刷データ作成手段１５に送信される。
前記エリア情報の選択は、テンキー等のキーボード、タッチパネル、音声入力などの入力部から入力された位置情報に基づいて、現在位置以外のエリア情報を選択してもよい。また、位置情報だけでなく、日時などの情報に基づいてエリア情報を選択してもよい。
【００３２】
前記印刷手段９は、前記印刷データ作成手段１５によって作成された印刷データに基づいて、印刷装置１に収納されている印刷用紙に印刷する。より具体的には、印刷手段９は感熱式プリンタであり、用紙収納部４１に収納された感熱紙に、図２に示すような印刷をする。
【００３３】
図２（ａ）は、印刷装置１で印刷された領収書の説明図である。
領収書１８を印刷する場合、乗務員が前記操作ボタン１６を操作して領収書の発行を指示する。操作ボタン１６が押下されると、メータ情報演算手段１３は、メモリ１２に記憶されているメータ情報とＥＴＣ情報とに基づいて乗車料金を演算する。例えば、図２（ａ）に示すように、タクシーメータ２から送信された運賃「１２３４０円」、予約料金「４００円」、遠距離割引「３４０円」、障害者割引「１２４０円」と、ＥＴＣ３から送信された通行料金「１３００円」の情報をメモリ１２から取得し、合計の乗車料金「１２４６０円」を演算し、演算結果を印刷データ作成手段１５に送信する。
前記印刷データ作成手段１５は、メモリ１２に記憶されている印刷フォーム情報と、前記メータ情報演算手段１３によって演算された演算結果の情報とに基づいて、印刷データを作成する。より詳しくは、印刷フォーム情報の中の領収書の発行に関する印刷項目に基づき、該当する印刷項目の情報をメモリ１２から読み出し、読み出された情報は、各項目毎に指定された印刷位置、フォントタイプ、フォントサイズ等の情報に基づき、印刷書類名欄２２、発行日付欄２３、車両番号欄２４、料金明細欄２５、合計料金欄２６、会社表示欄２７、ＥＴＣ利用明細欄２８を含んだ領収書の印刷データを作成する。
印刷データが作成されると、印刷手段９は印刷データに基づいて、指定されたフォントタイプ、フォントサイズで、用紙の指定された位置に印刷をする。
図２（ａ）では、会社表示欄２７は、文字だけで会社名が印刷されているが、印刷フォーム情報にロゴなどの画像ファイルを含んでいるときには、文字の会社名とともに、当該ロゴを領収書に印刷することもできる。
【００３４】
図２（ｂ）は乗務員の１回の乗務履歴を印刷した乗務履歴書１９の説明図であり、図２（ｃ）は乗務の詳細履歴を印刷した詳細履歴書２０の説明図である。
乗務履歴書１９を印刷する場合、乗務員が前記操作ボタン１６を操作して乗務履歴書発行を指示する。印刷装置１は、操作ボタン１６が押下されると、メータ情報演算手段１３は、メモリ１２に記憶されているメータ情報やＥＴＣデータやＧＰＳデータ等の情報と、前記演算パラメータ情報とに基づき、走行距離、乗車回数、各種料金集計等の演算を行う。
そして、前記印刷データ作成手段１５は、メモリ１２に記憶されている印刷フォーム情報と、前記メータ情報演算手段１３によって演算された演算結果とに基づいて、印刷データを作成する。より詳しくは、演算パラメータ情報に含まれる乗車履歴に関する演算式に基づき、メモリ１２から必要なデータを取得し、印刷書類名欄２２、印刷日時欄２９、車両番号欄２４、走行距離履歴欄３０、走行回数履歴欄３１、走行料金履歴欄３２を含んだ乗務履歴書１９の印刷データを作成する。印刷データが作成されると、印刷手段９は印刷データに基づいて、指定されたフォントタイプ、フォントサイズで、指定された位置に印刷をする。
【００３５】
また、乗務履歴としては、図２（ｃ）に示しているように、クレジットカードによる決済を集計したクレジット集計欄３３、デビットカードによる決済を集計したデビット集計欄３４、ＥＴＣ利用料金を集計したＥＴＣ集計欄３５、大口割引金額を集計した大口割引欄３６等の各種の料金集計を印刷してもよい。
【００３６】
このように、リムーバブルメディア７に印刷フォーム情報や演算パラメータ情報を記録させ、リムーバブルメディア７に記録されている演算パラメータ情報に基づいて演算し、当該リムーバブルメディア７に記録されている印刷フォームに従って印刷するので、印刷項目を追加、変更、削除したり、印刷位置などを容易に変更でき、印刷装置を取り外して印刷装置に記録されているデータを書き換える必要性や、印刷装置の操作ボタンを操作して印刷フォーム等の設定を変更できる。
さらに、リムーバブルメディア７に画像データを記録させ、印刷フォーム情報で当該画像データの印刷を指定することで、タクシー用の印刷装置１でもタクシー会社のロゴなどの画像を容易に領収書などに印刷することができる。また、会社のロゴが変更した場合でも、リムーバブルメディア７に記憶させる画像データを変更するだけで容易に印刷内容を変更することができる。
【００３７】
上述のように、乗車料金の精算時に印刷装置１から領収書１８を印刷したり、乗務終了時に乗務履歴を乗務履歴書１９や詳細履歴書２０を印刷するだけでなく、他の情報も印刷してもよい。
例えば、前記リムーバブルメディア７に店舗情報やイベント情報等のエリア情報を予め記録しておき、前記エリア情報選択手段１４が現在位置のエリア情報を選択し、この選択結果を印刷フォームに従って印刷データを作成し、印刷手段９は作成された印刷データに基づいて印刷することもできる。
【００３８】
図２（ｄ）はイベント情報を印刷したエリア情報案内書２１の説明図である。
エリア情報を印刷する場合、乗務員が前記操作ボタン１６を操作してエリア情報案内書２１の発行を指示する。印刷装置１は、操作ボタン１６が押下されると、エリア情報選択手段１４はメモリ１２に記憶されているＧＰＳ情報とエリア情報とに基づいて、現在位置が含まれるエリアに該当するイベント情報を選択する。
そして、印刷データ作成手段１５は、メモリ１２に記憶されている印刷フォーム情報と、エリア情報選択手段１４による選択結果とに基づいて、印刷データを作成する。印刷データが作成されると、印刷手段９は印刷データに基づいて、指定されたフォントタイプ及びフォントサイズで、指定された位置に印刷をする。
例えば、図２（ｄ）に示すようにイベント情報を選択する場合には、イベント開始日時欄３７及びイベント場所欄３８に、選択されたイベント情報を印刷する。なお、図２（ｄ）ではイベント情報のみを印刷しているが、店舗情報のみを印刷したり、イベント情報と店舗情報の双方を印刷してもよい。このように、イベント情報や店舗情報を印刷することによって、乗客がイベント場所を正しく覚えていなくてもイベント場所を正確に理解することができる。さらに、乗客が降車するときに、領収書など共に店舗情報やイベント情報を印刷したものを提供してもよい。
また、印刷装置１の第２表示部１７ｂや、ナビゲーションシステム等で使用される他の表示部にイベント情報や店舗情報を表示させてもよい。
【００３９】
なお、領収書等の印刷するときに、乗務員が操作ボタン１６を操作して、印刷する文字の大きさ（フォントの大きさ）を選択可能にしてもよい。この場合は、印刷フォーム情報として複数の文字サイズを指定しておき、操作ボタン１６の操作に基づいて、複数の文字サイズの中から印刷する文字サイズを指定する。このような機能を印刷装置１に備えさせることにより、特に高齢者や障害者等のように小さな文字を認識しづらい乗客に対して、通常よりも大きな文字で印刷した領収書を提供することもでき、乗客に優しいサービスを提供できる。
【００４０】
リムーバブルメディア７にタクシーメータ２等から出力されたデータを記録したり、メータ情報演算手段１３による演算結果を記録するので、乗務終了後は、このリムーバブルメディア７を収納部８から取り出し、営業所のコンピュータに記録したデータを読み取らせることもでき、乗務履歴の管理を容易にでき、乗務員は日報などの記入作業がなくなる又は作業を少なくできる。一方、タクシー会社としても、乗務履歴を改めて入力する手間を省けることができ、事務手続きを簡素化できるだけでなく、入力ミスも少なくできる。
【００４１】
つぎに、上述した印刷装置１を用いたタクシー用印刷制御システム（以下、「印刷制御システム」と称す。）４２について、図４に基づいて説明する。印刷制御システム４２は、印刷装置１、リムーバブルメディア７、コンピュータ４３とから構成される。
【００４２】
前記印刷装置１は、上述したタクシー用印刷装置であり、タクシーに搭載される。印刷装置１については上述しているので説明を省略する。
【００４３】
コンピュータ４３は、リムーバブルメディア７を収納する収納部４４、処理部４５、入力手段５１、記録部５２、表示手段（図示しない）、表示部（図示しない）等を備えている。コンピュータ４３は、タクシー会社の営業所等に設置されたコンピュータであり、より具体的にはパーソナルコンピュータ等である。
【００４４】
前記収納部４４は、リムーバブルメディア７を収納するものであり、図４ではコンピュータ４３内に収納部４４を備えているが、コンピュータ４３の外部に収納部４４を備えさせ、両者をＵＳＢ等を用いてデータ転送するように構成してもよい。
【００４５】
処理部４５は、演算手段４６、印刷用更新データ作成手段４７、メモリ４８、読取手段４９、記録手段５０を備えている。
【００４６】
前記読取手段４９は、前記印刷装置１に備えられた読取手段１０と同様に、収納部４４に収納されたリムーバブルメディア７に記録されているデータを読み取るものであり、例えば、前記メータ情報や、印刷装置１で演算された演算結果情報等のデータを読み取る。そして、読み取ったデータはメモリ４８に一時的に記憶される。
【００４７】
前記記録手段５０は、収納部４４に収納されたリムーバブルメディア７に印刷用更新データ等の各種データを記録する。また、前記読取手段４９によって読み取られたデータ、演算手段４６によって演算されたデータ、前記印刷用更新データ等の各種データを記録部５２に記録する。記録部５２は、ハードディスクや半導体記録媒体等の各種記録媒体である。
【００４８】
前記メモリ４８は、前記入力手段５１よって入力された各種データを一時的に記憶したり、前記読取手段４９によって読み取られたデータ等、前記印刷用更新データ作成手段４７によって作成されたデータ等を一時的に記憶する。より具体的には、ＲＡＭ等の半導体記録媒体によって構成されている。
【００４９】
前記演算手段４６は、読取手段４９によって読み取られたメータ情報や、演算結果情報等のデータを所定の演算パラメータに従って演算する。この演算手段４６による演算は、各乗務員の売上実績、売上目標に対する達成率、勤務時間（乗車時間）等を演算したり、全乗務員の所定期間（例えば、１日や１ヶ月）の売上実績、売上目標に対する達成率、勤務時間等の情報を演算する。演算されたデータはメモリ４８に一時的に記録され、記録部５２に記録される。
【００５０】
前記印刷用更新データ作成手段４７は、操作者がキーボードやマウス等を用いて、タクシー会社の会社名、住所、電話番号、タクシーの車両番号等を入力したり、会社のロゴ等の画像データを指定したり、印刷に使用するフォントタイプ、文字サイズ、印刷位置、印刷項目等を指定することにより作成される。同様に、前記演算パラメータ情報やイベント情報も操作者の操作に基づいて作成される。また、イベント情報は、操作者がイベント情報を直接入力するだけでなく、インターネットを介して提供されるデータを入力手段５１を用いてダウンロードし、ダウンロードしたデータを直接又は操作者が編集してイベント情報を作成してもよい。
そして、作成された印刷用更新データは、メモリ４８に一時的に記憶され、記録手段５０によってリムーバブルメディア７に記録される。
【００５１】
このように、コンピュータ４３を用いて作成した印刷用更新データをリムーバブルメディア７に記録させ、タクシーに搭載された印刷装置１はこのリムーバブルメディア７に記憶されている印刷フォームデータに基づいて印刷するので、営業所等で各種の印刷フォームを容易に変更できる。同様に、演算パラメータ情報やイベント情報等の各種情報も容易に変更できる。そして、変更した情報を営業所等のコンピュータ４３を用いてリムーバブルメディア７に記録させることができる。
【００５２】
また、タクシーメータ２からのメータ情報や、演算結果の情報をリムーバブルメディア７に記録させ、営業所等のコンピュータ４３が当該リムーバブルメディア７に記録された情報を読み取るので、これらの情報を入力する手間を省略でき、乗務実績等の管理作業を簡素化できる。
【図面の簡単な説明】
【００５３】
【図１】タクシー用印刷装置を説明したブロック図である。
【図２】タクシー用印刷装置で印刷した用紙の説明図であり、（ａ）は領収書、（ｂ）は乗務履歴書、（ｃ）は詳細履歴書、（ｄ）はエリア情報案内書の説明図である。
【図３】タクシー用印刷装置の正面図である。
【図４】タクシー用印刷制御システムを説明したブロック図である。
【符号の説明】
【００５４】
１  印刷装置
２  タクシーメータ
３  ＥＴＣ
４  ＧＰＳ
５  入力手段
６  処理部
７  リムーバブルメディア
８  収納部
９  印刷手段
１０  読取手段
１１  記録手段
１２  メモリ
１３  メータ情報演算手段
１４  エリア情報選択手段
１５  印刷データ作成手段
１６  操作ボタン
１７  表示部
１８  領収書
１９  乗務履歴書
２０  詳細履歴書
２１  エリア情報案内書
２２  印刷書類名欄
２３  発行日付欄
２４  車両番号欄
２５  料金明細欄
２６  合計料金欄
２７  会社表示欄
２８  利用明細欄
２９  印刷日時欄
３０  走行距離履歴欄
３１  走行回数履歴欄
３２  走行料金履歴欄
３３  クレジット集計欄
３４  デビット集計欄
３５  ＥＴＣ集計欄
３６  大口割引欄
３７  イベント開始日時欄
３８  イベント場所欄
３９  排紙部
４０  蓋部材
４１  用紙収納部
４２  印刷制御システム
４３  コンピュータ
４４  収納部
４５  処理部
４６  演算手段
４７  印刷用更新データ作成手段
４８  メモリ
４９  読取手段
５０  記録手段
５１  入力手段
５２  記録部
【図１】
2010146243.tif 000003
【図２】
2010146243.tif 000004
【図３】
2010146243.tif 000005
【図４】
2010146243.tif 000006